(57)【要約】  【課題】  既存のペーパーホルダーに装着可能であり、ロールペーパーの裁断操作を簡単にして、しかも裁断後のロールペーパー端部に、次回の利用者が、簡単に摘むことができる舌片状部分が、衛生的且つ瞬時に形成できるようになる新たなロールペーパーホルダー用の補助具を提供する。  【解決手段】  ペーパーホルダー本体７のペーパーカバー８先端８０がわへ取り付け可能な取着機構３の用意された装着体２を有し、該装着体２先端がわに、当該ペーパーカバー８の先端縁付近より前方に突出し、ペーパー装填部７０に保持したロールペーパー９に当接状となる押さえ舌片部４を形成し、当該ペーパーカバー８下面に配した該装着体２には、該ロールペーパー９上位外周面との間に所定離反間隔を確保するよう弾発機構５を垂下した上、該弾発機構５のロールペーパー９当接箇所には、摩擦を低減可能な滑り座部６を形成してなるロールペーパー用裁断補助具１である。【選択図】    図２
2010046234.tif 000002
【特許請求の範囲】
【請求項１】
ロールペーパーを水平軸心周りに回転自在且つ着脱自在に保持可能とするペーパー装填部と、該ペーパー装填部背面がわ適所で軸着され、同所を枢軸としてロールペーパー上に載置状となるよう先端がわを上下動自在に組み込んだペーパーカバーとからなるペーパーホルダー本体の、ペーパーカバー先端がわへ取り付け可能とする取着機構の用意された装着体を有し、該装着体先端がわには、その取着機構を介して当該ペーパーカバー先端がわに装着した場合に、同ペーパーカバーの先端縁または同先端に組み込んだペーパー裁断用ブレード端縁よりも前方に向けて舌片状に突出し、当該ペーパー装填部に保持させたロールペーパーの上位手前がわの外周面に当接状となる先端下がり状となるようにした押さえ舌片部を形成すると共に、当該ペーパーカバー下面に沿わせて配置した該装着体適所には、当該ペーパー装填部に保持させたロールペーパー上位となる外周面との間に所定の離反間隔を確保するようにした弾発機構を垂下状に設けた上、該弾発機構でロールペーパーに当接状となる箇所には、同ロールペーパー回動時の摩擦を低減可能とする滑り座部を形成してなるものとしたことを特徴とするロールペーパー用裁断補助具。
【請求項２】
取着機構は、ペーパーカバーの先端がわに挟着可能な挟着機構か、同ペーパーカバーの表裏面の何れか一方に接着固定可能な粘着剤層と、その粘着剤層の接着表面に剥離容易に装着した被覆用剥離紙とからなる粘着固定機構か、または、当該挟着機構と該粘着固定機構とを組み合わせてなるものかの何れか１つに設定されてなるものとした、請求項１記載のロールペーパー用裁断補助具。
【請求項３】
押さえ舌片部は、その外周縁を下向きエッジ状に成形し、中央上面に指掛け用凹部が形成されてなるものとした、請求項１または２何れか一項記載のロールペーパー用裁断補助具。
【請求項４】
押さえ舌片部は、ロールペーパー外周面接合がわとなる下面中央に、その外周縁がわの何れの箇所よりもロールペーパーがわに向けて最も突出した凸型部を形成し、該押さえ舌片部外周縁がロールペーパーの裁断紙端中途適所に残留状に裁断、形成可能とする摘み用舌片部分を同裁断中に、ロールペーパー外周面から少なくとも一部が浮き上がる三次元形状に成型可能とするよう設定されてなるものとした、請求項１ないし３何れか一項記載のロールペーパー用裁断補助具。
【請求項５】
弾発機構は、コイル状か、ワイヤー状か、または、板状かの何れか１つのバネからなるものとした、請求項１ないし４何れか一項記載のロールペーパー用裁断補助具。
【請求項６】
滑り座部は、ロールペーパーの外周面に沿って僅かに湾曲状とした盆型か、橇板型か、ワイヤ型かの何れか１つからなるものとした、請求項１ないし５何れか一項記載のロールペーパー用裁断補助具。
【請求項７】
請求項１ないし６何れか一項記載のロールペーパー用裁断補助具を、既存のペーパーカバーの先端がわ適所に取着機構を介して装着し、ペーパー装填部に回転自在に装着してあるロールペーパーの紙端を把持して必要量を展開状に引き出してから、押さえ舌片部かペーパーカバーの先端がわかの少なくとも何れか一方を押し下げ操作して、該ペーパーカバーの先端縁か、または同先端に組み込んだペーパー裁断用ブレード端縁かの何れか一方と、押さえ舌片部とが共にロールペーパー上位手前がわ外周面に適度の圧力で当接した状態を維持したまま、該ロールペーパーの紙端がわを斜め上方手前がわに向けて引き上げる如く操作して裁断した後、押さえ舌片部およびペーパーカバーの先端がわを押し下げている操作力を解除し、弾発機構が自動的に該ペーパーカバーの先端縁または同先端に組み込んだペーパー裁断用ブレード端縁および押さえ舌片部を浮揚保持するようにして、該ロールペーパー外周面に残留した紙端縁であって、当該該ペーパーカバーの先端縁か、または同先端に組み込んだペーパー裁断用ブレード端縁かの何れか一方が裁断済みの直線状のロールペーパー切断紙端縁の中途適所に、押さえ舌片部輪郭形状に裁断された摘み用舌片部分が一体的に残留するようにしたことを特徴とするロールペーパー裁断方法。                                            
【発明の詳細な説明】
【技術分野】
【０００１】
この発明は、ロールペーパーの裁断に関するものであり、ロールペーパー用ホルダーに装着して利用する裁断用の補助具を製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                            
【背景技術】
【０００２】
（着目点）
図２０の従来型のペーパーホルダーに装着したロールペーパーの斜視図に示すように、ペーパーホルダー７に回転自在に保持させたロールペーパー９は、その紙端が見つからない場合に、何度も回転させて紙端を探さなければならず、忙しいとになどには特に煩わしいものであるが、図２１の三角折りされたロールペーパーの斜視図に示すように、紙端９０が三角に折り畳まれていると、その三角折りの先端を摘んで簡単に引き出すことができるようになり、非常に便利であるという一面をもっているが、こうした三角折りはホテルや飲食店などで、トイレを清掃した清掃員が、それ以外のスタッフに清掃済みであることを知らせる印としてロールペーパーの端を三角に折り畳んで置くという工夫から始められたと云われており、これをエチケットと勘違いした人々が、次に利用する人の為に善意で行うようになっていったという説がある。
【０００３】
この説に基づき思料すれば、ホテルや飲食店、病院など特に衛生管理に厳しい施設で、使用済みのトイレのロールペーパーを客や患者などの部外者が勝手に三角折りしてしまう行為は、排泄直後の不衛生なままの手で次の人が使用するであろうロールペーパー９の紙端９０に触れることになる上、トイレを管理するスタッフが、使用済みのトイレを清掃済みと勘違いしてしまい、誰も知らぬ間に清掃の回数が減り、次の利用者が汚れたままのトイレを利用してしまう機会を増やし、疫学的にも公衆に不利益をもたらす虞があるという、隠された問題を秘めているといえる。
【０００４】
（従来の技術）
そうした事情を打開しようとして、例えば、後記する特許文献１（１）や同特許文献１（２）などに掲載されている発明のように、ロールペーパーホルダーのペーパーカバーの先端縁中央より、保持させたロールペーパー外周面から手前がわに離れるよう、凸状の歯（刃）を突出するよう一体化形成してなり、ロールペーパーを展開状に引き出してから、ペーパーカバーをロールペーパー外周面に抑え付けながら、ロールペーパーの紙端がわを斜め上方手前がわに引き上げ操作して裁断すると、ペーパーカバーの先端縁で裁断された直線状裁断端縁の中央に、三角状や舌片状の摘み部分が残留、形成されるようにしたものや、同特許文献１（３）のように、ロールペーパーホルダーのペーパーカバー対して、その先端縁がわより、押え挟持片部を伴って着脱自在に挟着可能とした切断用押片具からなり、前記特許文献１（１）や同特許文献１（２）などに開示されたロールペーパーホルダーと略同等の作用、効果が得られるようにしたものがある。
【０００５】
または、同特許文献１（４）に示されたロールペーパーホルダーのように、ペーパーカバーの下面に取り付けた弾性質部が、同ロールペーパーホルダーに保持させたロールペーパー上位外周面に摺動自在に接地して、ペーパーカバーを該ロールペーパーの上方に弾発性を持って浮揚すると共に、ペーパーカバー下面の適所に直接か、または、他の部品を介して間接的に吊下した送り出し部を該ロールペーパーの上位外周背面がわに添って接触するよう垂れ下げたものとし、ロールペーパーを展開状に引き出してから、当該弾性質部の弾発力に抗してペーパーカバーをロールペーパー外周面に抑え付けながら、ロールペーパーの紙端がわを斜め上方手前がわに引き上げ操作して裁断した後、ペーパーカバーから手を放すと、当該弾性質部がその弾発、復帰力によってペーパーカバーが自動的に浮揚されることとなり、しかもペーパーカバーの浮揚移動に牽引された送り出し部が、その摩擦力によってロールペーパーを展開方向に僅かに回転移動させるものとなって、裁断後のロールペーパー残留がわ紙端が、同ロールペーパー手前がわ外周面より垂れ下がり状となって、次回トイレ利用者のロールペーパーの展開、引き出し作業を容易にしたものなどが散見される。
【０００６】
しかし、前者の特許文献１（１）および同特許文献１（２）などに示されているロールペーパーホルダーのように、ペーパーカバーの先端縁に凸状の歯（刃）を突出状に一体化形成してなるものは、例えば、既に従来型のロールペーパーホルダーが設置されている場合などには、既存のロールペーパーホルダーを取り外し、新たに購入したロールペーパーホルダーを設置し直す必要があり、あまり経済的でない上に、撤去および取り付け作業や、旧型のロールペーパーホルダーを適正に処分しなければならないなど、利用するまでに様々な手間と労力とを要するものとなっていしまうという欠点がある。
【０００７】
また、特許文献１（３）に示されているように、ロールペーパーホルダーのペーパーカバー先端縁がわより、押え挟持片部を伴って着脱自在に挟着可能とした切断用押片具などは、使用中のロールペーパーホルダーに簡便に装着して利用することが可能であり、旧型のロールペーパーホルダーを買い換える必要が無く、そのまま切断用押片具を追加して利用できるものとなっており、前者の特許文献１（１）および同特許文献１（２）などに示されているようなロールペーパーホルダーの課題を解決するのに有効なものとなっているが、該特許文献１（３）のような押え挟持片部や、前者の特許文献１（１）および同特許文献１（２）に示したようなロールペーパーホルダーは何れの場合も、ロールペーパーを展開状に引き出して裁断した後、次回利用者が、ロールペーパーがわに残留した三角状や舌片状の摘み部分を摘み、引き出そうとする場合に、一般的なロールペーパーホルダーと同様にペーパーカバー、および、押え挟持片部が装着されたものの場合には、押え挟持片部を含めて、上方に開放してから引き出す必要があり、従来型の面倒な操作性が改善されていないという欠点があった。
【０００８】
そして、後者の同特許文献１（４）に示されたロールペーパーホルダーのように、ペーパーカバー下面に弾性質部を取り付け、同ペーパーカバーがホルダーに保持されたロールペーパー上に浮揚するよう設定されたものは、該弾性質部の弾発力が、ペーパーカバー先端がわを浮揚させて同ペーパーカバー下に隠れているロールペーパーの残留がわ紙端を露出状とすると共に、ロールペーパーの上位外周背面がわに添って接触するよう垂れ下げた送り出し部を引き上げ、ロールペーパーの紙端が自動的に送出されるようにして、ペーパーカバー先端より下方に垂下されるように動作可能としたものであり、次回利用者が、ロールペーパーの紙端を引き出そうとするときに、ペーパーカバーを持ち上げる操作が不要になるという利点が得られるものとなっているが、当該ペーパーカバー先端縁にロールペーパー裁断用の切り刃を形成可能なものとはなっておらず、従って裁断されたロールペーパーの残留がわ直線状裁断端縁の中央に、三角状や舌片状の摘み部分を形成することは全くできないものであった。                                                                          
【特許文献１】（１）特開２００６−１２２６０４    （２）特開平７−２９９０１３    （３）特開平１０−２９０７６６    （４）特開２００５−１４４１１２
【発明の開示】
【発明が解決しようとする課題】
【０００９】
（問題意識）
上述したとおり、従前までに提案のある前者の特許文献１（１）および同特許文献１（２）に代表されるような各種ペーパーホルダーは、何れも既存の旧型ペーパーホルダーを撤去した上で、新しいものに設置し直す必要があり、撤去後の旧型ペーパーホルダーの処分や有効利用などに課題を残し、自然環境保護や経済性の観点からも改善の余地を残すものであり、また、特許文献１（３）のような切断用押片具は、前者特許文献１（１）および同特許文献１（２）に示されたような撤去後のペーパーホルダー処分の問題を解決できるものとなっているが、ロールペーパー紙端縁に裁断形成された三角状や舌片状の摘み部分が、ペーパーカバー下に隠れてしまい、次回利用者はペーパーカバーの先端がわを持ち上げなければ、ロールペーパー残留がわに形成された摘み部分を掴むことができないという操作上の欠点があり、さらに、後者の同特許文献１（４）に示されたロールペーパーホルダーは、ペーパーカバー先端がわが自動的に浮揚状態に支持されるものとなっているが、ロールペーパーの残留がわ紙端縁に三角状や舌片状の摘み部分が形成されるものとはなっておらず、トイレ利用者による三角折りを防止できるものとはなっておらず、ペーパーカバーの持ち上げ操作を不要とすると共に、裁断操作と同時にロールペーパー残留がわ端縁の適所に摘み用舌片部分を形成し、次回利用者が衛生的且つ簡便に利用可能であって、しかもトイレ管理者以外の部外者による三角折りを防止できるようにする技術については未だ存在しないという状況にある。
【００１０】
（発明の目的）
そこで、この発明は、既存のロールペーパーホルダーに装着可能であり、ロールペーパーの裁断操作を簡便にして、しかも裁断後のロールペーパー端部に、次回の利用者が、簡単に摘むことができる舌片状部分が衛生的且つ瞬時に形成できるようになり、トイレ管理者以外の部外者による三角折りを確実に防止できるようにする新たなペーパーホルダー技術の開発はできないものかとの判断から、逸速くその開発、研究に着手し、長期に渡る試行錯誤と幾多の試作、実験とを繰り返してきた結果、今回、遂に新規な構造のロールペーパー用裁断補助具、およびそれを利用した新規なロールペーパー裁断方法を実現化することに成功したものであり、以下では、図面に示すこの発明を代表する実施例と共に、その構成を詳述することとする。                                                                                
【課題を解決するための手段】
【００１１】
（発明の構成）
図面に示すこの発明を代表する実施例からも明確に理解されるように、この発明のロールペーパー用裁断補助具は、基本的に次のような構成から成り立っている。
即ち、ロールペーパーを水平軸心周りに回転自在且つ着脱自在に保持可能とするペーパー装填部と、該ペーパー装填部背面がわ適所で軸着され、同所を枢軸としてロールペーパー上に載置状となるよう先端がわを上下動自在に組み込んだペーパーカバーとからなるペーパーホルダー本体の、ペーパーカバー先端がわへ取り付け可能とする取着機構の用意された装着体を有し、該装着体先端がわには、その取着機構を介して当該ペーパーカバー先端がわに装着した場合に、同ペーパーカバーの先端縁または同先端に組み込んだペーパー裁断用ブレード端縁よりも前方に向けて舌片状に突出し、当該ペーパー装填部に保持させたロールペーパーの上位手前がわの外周面に当接状となる先端下がり状となるようにした押さえ舌片部を形成すると共に、当該ペーパーカバー下面に沿わせて配置した該装着体適所には、当該ペーパー装填部に保持させたロールペーパー上位となる外周面との間に所定の離反間隔を確保するようにした弾発機構を垂下状に設けた上、該弾発機構でロールペーパーに当接状となる箇所には、同ロールペーパー回動時の摩擦を低減可能とする滑り座部を形成してなるものとした構成を要旨とするロールペーパー用裁断補助具である。
【００１２】
（関連する発明）
上記したロールペーパー用裁断補助具に関連し、この発明は、それを利用したロールペーパー裁断方法も包含している。
即ち、この発明の基本をなす前記ロールペーパー用裁断補助具を、既存のペーパーカバーの先端がわ適所に取着機構を介して装着し、ペーパー装填部に回転自在に装着してあるロールペーパーの紙端を把持して必要量を展開状に引き出してから、押さえ舌片部かペーパーカバーの先端がわかの少なくとも何れか一方を押し下げ操作して、該ペーパーカバーの先端縁か、または同先端に組み込んだペーパー裁断用ブレード端縁かの何れか一方と、押さえ舌片部とが共にロールペーパー上位手前がわ外周面に適度の圧力で当接した状態を維持したまま、該ロールペーパーの紙端がわを斜め上方手前がわに向けて引き上げる如く操作して裁断した後、押さえ舌片部およびペーパーカバーの先端がわを押し下げている操作力を解除し、弾発機構が自動的に該ペーパーカバーの先端縁または同先端に組み込んだペーパー裁断用ブレード端縁および押さえ舌片部を浮揚保持するようにして、該ロールペーパー外周面に残留した紙端縁であって、当該該ペーパーカバーの先端縁か、または同先端に組み込んだペーパー裁断用ブレード端縁かの何れか一方が裁断済みの直線状のロールペーパー切断紙端縁の中途適所に、押さえ舌片部輪郭形状に裁断された摘み用舌片部分が一体的に残留且つ露出状となるよう操作するようにした構成からなるロールペーパー裁断方法である。                                                                                            
【発明の効果】
【００１３】
以上のとおりの構成からなるこの発明のロールペーパー用裁断補助具によれば、従前までのものと違い、ペーパーホルダー本体のペーパーカバー先端がわへ取り付け可能な取着機構の用意された装着体を有し、該装着体先端がわに、当該ペーパーカバーの先端縁付近より前方に突出し、ペーパーホルダー本体のペーパー装填部に保持したロールペーパー上位手前がわ外周面に当接状となる押さえ舌片部を形成すると共に、当該ペーパーカバー下面に配した該装着体には、該ロールペーパー上位外周面との間に所定離反間隔を確保するよう弾発機構を垂下した上、該弾発機構のロールペーパー当接箇所に摩擦を低減可能な滑り座部を形成してなり、使用中の既存のペーパーホルダーを撤去、交換することなく、当該取着機構を介して旧型のままのペーパーホルダー本体のペーパーカバー先端がわに、工具類などを必要とせずに誰でも簡便に装着することが可能となり、旧型のペーパーホルダーを廃棄処分などすることなく、そのまま有効に利用して自然環境の保護や経費の削減、および、脱着作業の簡素化を図るものとすることができ、しかも該ロールペーパー用裁断補助具を装着したペーパーホルダー本体は、それを使用して裁断されたロールペーパー切断紙端縁の中途適所に、押さえ舌片部輪郭形状に裁断された摘み用舌片部分が一体的に残留するものとなり、商業施設や医療機関などのトイレの部外者による三角折りを確実に防止するものとなる上、弾発機構が該ペーパーカバーの先端縁または同先端に組み込んだペーパー裁断用ブレード端縁および押さえ舌片部を浮揚保持して、トイレ利用者は、ロールペーパーを引き出すときにペーパーカバー先端がわを持ち上げる必要がなく、ロールペーパー引き出し操作の煩わしさを大幅に軽減することができるという秀れた特徴が得られるものである。
【００１４】
加えて、取着機構が、ペーパーカバーの先端がわに挟着可能な挟着機構か、同ペーパーカバーの表裏面の何れか一方に接着固定可能な粘着剤層と、その粘着剤層の接着表面に剥離容易に装着した被覆用剥離紙とからなる粘着固定機構か、または、当該挟着機構と該粘着固定機構とを組み合わせてなるものかの何れか１つに設定されてなるものは、ペーパーカバーに対して当該ロールペーパー用裁断補助具を取り付ける際に工具類を一切必要とせず、年齢や性別を問わず誰でも簡単且つ速やかに旧型のペーパーホルダーに組み込むことができ、挟着機構を有するものは、脱着が容易でペーパーホルダーを交換する場合にも、古いペーパーホルダーから取り外して新しいペーパーホルダーに再び簡便に装着することができ、粘着固定機構を有するものは、被覆用剥離紙を剥がし取って露出した粘着剤層の接着表面を接合し、ペーパーカバーの表裏面の何れか一方に簡単に貼着、固定することができ、挟着機構と該粘着固定機構とを組み合わせてなるものは、利用者が何れか一方を選択して利用することが可能となる外、双方を利用して各段に強い定着力を得るように装着することができるという特徴が得られる。
【００１５】
押さえ舌片部が、その外周縁を下向きエッジ状に形成し、中央上面に指掛け用凹部が形成されてなるものは、裁断操作中に該押さえ舌片部の外周縁が、他の部分よりもロールペーパー外周面に強く押し付けられるものとなり、同押さえ舌片部輪郭形状に、より忠実な裁断が可能となり、しかも中央上面に形成した指掛け用凹部に指を掛けるようにして押圧操作すると、手指の滑りを抑制して一段と確実に裁断することができ、欠けや破れの無い摘み部分を一層確実に形成できるようになるという効果を発揮するものとなる。
【００１６】
また、押さえ舌片部は、ロールペーパー外周面接合がわとなる下面中央に、その外周縁がわの何れの箇所よりもロールペーパーがわに向けて最も突出した凸型部を形成してなるものとすると、該押さえ舌片部外周縁がロールペーパーの裁断紙端中途適所に残留状に裁断、形成可能とする摘み用舌片部分を同裁断中に、ロールペーパー外周面から少なくとも一部が浮き上がる三次元形状に成型可能とするものとなり、次回利用者は、該摘み用舌片部分の三次元形状に成型されてロールペーパー外周面から離れるよう浮き上がり、その形状を維持したままとなっている部分を利用して容易に掴むことが可能となり、その利便性をより一層高めたものとなる。
【００１７】
そして、弾発機構が、コイル状か、ワイヤー状か、または、板状かの何れか１つのバネからなるものは、弾発力の発生源としてスポンジ製ブロックやゴム部品などを使用したものに比較して大幅に軽量化し、高い圧縮比と軽くて確実な操作性とを得て耐久寿命を高め、経済性にも秀れたものとすることができる。
【００１８】
さらにまた、滑り座部が、ロールペーパーの外周面に沿って僅かに湾曲状とした盆型か、橇板型か、ワイヤ型かの何れか１つからなるものは、それ以外の平板型や直線棒型などの形状とした場合に比較して、ロールペーパー外周面との摩擦抵抗を大幅に低減し、ロールペーパーの引き出し操作をより円滑化してロールペーパーの回転を一段と軽快なものとし、当該ロールペーパー用裁断補助具の動作不良の発生を一段と確実に防止可能なものとすることができる。
【００１９】
また、この発明のロールペーパー用裁断補助具を利用したロールペーパー裁断方法によれば、工具類を一切用いずに既存のペーパーカバーの先端がわ適所に取着機構を介して誰でも簡便に装着して、装着直後から利用を開始することができ、しかも、その弾発機構が押さえ舌片部およびペーパーカバーの先端がわ諸共、ペーパー装填部に保持させたロールペーパーの上位外周面上に所定の離反間隔を確保するよう浮揚保持するものとなって、該ペーパーカバーの先端がわの持ち上げ操作をせずとも、そのままロールペーパーの紙端を掴み、必要量を引き出すことができ、押さえ舌片部かペーパーカバーの先端がわかの少なくとも何れか一方を押し下げ操作して、該ペーパーカバーの先端縁か、または同先端に組み込んだペーパー裁断用ブレード端縁かの何れか一方と、押さえ舌片部とが共にロールペーパー上位手前がわ外周面に適度の圧力で当接した状態を維持したまま、該ロールペーパーの紙端がわを斜め上方手前がわに向けて引き上げる如く操作して裁断すると、当該該ペーパーカバーの先端縁か、または同先端に組み込んだペーパー裁断用ブレード端縁かの何れか一方が裁断済みの直線状のロールペーパー切断紙端縁の中途適所に、押さえ舌片部輪郭形状に裁断された摘み用舌片部分が一体的に残留するように裁断することができ、しかも、ロールペーパーの裁断を終えて押さえ舌片部およびペーパーカバーの先端がわを押し下げている操作力を解除すると、弾発機構が自動的に該ペーパーカバーの先端縁または同先端に組み込んだペーパー裁断用ブレード端縁および押さえ舌片部を浮揚させて、その浮揚状態を継続的に保持するものとなって、次回以降のトイレ利用者が、ロールペーパー切断紙端縁を探すまでもなく簡単に、浮揚状態にあるペーパーカバーの先端縁下に露出している当該摘み用舌片部分を発見して掴み、円滑に引き出し操作することができ、エチケットとしての三角折りの必要性を完全に無くし、各種商業施設、宿泊施設および医療機関などのトイレを利用する部外者による三角折りを確実に防止することができるという大きな効果を奏することになる。                                                                                            
【発明を実施するための最良の形態】
【００２０】
上記したとおりの構成からなるこの発明の実施に際し、その最良もしくは望ましい形態について説明を加えることにする。
装着体は、取着機構、押さえ舌片部および弾発機構を互いに一体化して当該ロールペーパー用裁断補助具の本体部分を形成可能とする機能を果たすものであって、それら取着機構、押さえ舌片部および弾発機構を互いに十分な強度で一体化すると共に、ペーパーホルダー本体のペーパーカバー下面がわに配置される部分は、弾発機構の弾発力で浮揚されたペーパーカバーの下面と、ペーパーホルダー本体のペーパー装填部に保持させたロールペーパー上位となる外周面との間に弾発機構および滑り座部を介在可能とすると共に、ロールペーパー切断紙端が露出するよう、所定の離反間隔を確保可能とする寸法、形状に設定されたものとしなければならず、軽量化や耐久強度を考慮すると、取着機構や押さえ舌片部を一体形成した金属成形部品または合成樹脂成形部品からなるものとするのが望ましく、押さえ舌片部が一体化された以外の前端縁が、ペーパーカバー先端縁よりも前方に突出したペーパー裁断用ブレード端縁に形成されたものとすることができる。
【００２１】
取着機構は、日々繰り返されるロールペーパーの裁断操作に長期に亘って耐え得る強度を以て、当該ロールペーパー用裁断補助具をペーパーホルダー本体のペーパーカバー先端がわへ、簡便な取り付け操作にて取り付け可能とするものであり、単独または装着体を相俟ってペーパーカバー先端がわに挟着可能なクリップ型やバネ挟み型、またはペーパーカバー左右縁間に掛け渡すバンド型やクランプ型などの挟着機構とすることができ、または、ペーパーカバーの表裏面の何れか一方に接着固定可能な粘着剤、フィルム状粘着剤または粘着剤両面塗布済み樹脂フィルムなどからなる粘着剤層と、その粘着剤層の接着表面に剥離容易に装着した、紙または樹脂フィルムの表面に剥離加工を施してなる被覆用剥離紙とからなる粘着固定機構か、または、それら挟着機構と該粘着固定機構とを組み合わせてなるものかの何れか１つに設定してなるものとすることができる。
【００２２】
押さえ舌片部は、ロールペーパー裁断操作に伴い、裁断済み直線状ロールペーパー切断紙端縁の中途適所に摘み用舌片部分を残留状に一体形成可能とするよう、ペーパーホルダー本体のペーパーカバーの先端縁または同先端に組み込んだペーパー裁断用ブレード端縁の中途適所に、摘み用舌片部分裁断用の舌片状切り刃部分を形成可能とする機能を果たし、利用者が掴み易い摘み用舌片部分に相当する形状、寸法に設定しなければならず、該装着体先端がわに一体化し、同装着体の取着機構を介して当該ペーパーカバー先端がわに装着した場合に、同ペーパーカバーの先端縁または同先端に組み込んだペーパー裁断用ブレード端縁よりも前方に向けて舌片状に突出し、当該ペーパー装填部に保持させたロールペーパーの上位手前がわの外周面に当接状となる先端下がり状となるように設定されたものとしなければならず、その外周縁を下向きエッジ状に成形し、中央上面に指掛け用凹部が形成されてなるものとするのが望ましく、必要に応じて、装着体と別体であって大きさや形状の異なる複数種類の部品として準備し、利用者の好みに応じて脱着、交換して利用可能とするよう組み合わせたものとすることができる外、ロールペーパー外周面接合がわとなる下面中央に、その外周縁がわの何れの箇所よりもロールペーパーがわに向けて最も突出した凸型部を形成し、該押さえ舌片部外周縁がロールペーパーの裁断紙端中途適所に残留状に裁断、形成可能とする摘み用舌片部分を同裁断中に、ロールペーパー外周面から少なくとも一部が浮き上がる三次元形状に成型可能とするよう設定されてなるものとすることが可能である。
【００２３】
該押さえ舌片部の凸型部は、摘み用舌片部分をロールペーパー外周面から少なくとも一部が浮き上がる三次元形状に成型可能とするものとし、同押さえ舌片部の外周縁がわの何れの箇所よりもロールペーパーがわに向けて最も突出したものとしなければならず、円柱状、楕円柱状、多角形柱状、円柱状、多角錐状、球状または縦断面波型状や鋸状など様々な形状に設定することが可能であり、凸型の別部品を押さえ舌片部の下面対応箇所に装着したものや、後述する実施例に示すように、該押さえ舌片部の凸型部を形成したのとは反対がわとなる上面がわに形成した指掛け用凹部と表裏一体となるよう形成したものとすることができる。
【００２４】
弾発機構は、ペーパーホルダー本体のロールペーパーの上位となる外周面上に、ペーパーカバーとその先端がわに装着した装着体とを、所定の離反間隔を確保するよう浮揚保持可能とすると共に、その弾発力に抗して押さえ舌片部かペーパーカバーの先端がわかの少なくとも何れか一方を簡単に押し下げ操作可能とし、しかも該ペーパーカバーの先端縁か、または同先端に組み込んだペーパー裁断用ブレード端縁かの何れか一方と、押さえ舌片部とが共にロールペーパー上位手前がわ外周面に、裁断操作可能となる適度の圧力で当接可能とする機能を果たし、該ペーパーカバーの先端下に、押さえ舌片部輪郭形状に裁断されたロールペーパー切断紙端縁の摘み用舌片部分が露出するようペーパーカバー先端を浮揚、保持する前記所定の離反間隔の高さ位置から、同ペーパーカバーの先端縁か、または同先端に組み込んだペーパー裁断用ブレード端縁かの何れか一方と、押さえ舌片部とが共にロールペーパー手前がわ外周面に接合する位置まで、弱い力でも簡単に圧縮操作可能であり、しかも、その圧縮力を解除すると直ちにペーパーカバー先端を前記所定の離反間隔の浮揚、保持高さ位置まで自動的に上昇、復帰させるものとしなければならず、例えば後述する実施例に示すようにコイル状か、ワイヤー状か、または、板状かの何れ１つに設定することができる。
【００２５】
滑り座部は、弾発機構のペーパー装填部に保持されたロールペーパー上位外周面に当接状となる箇所の、同ロールペーパー外周面当接箇所との接触摩擦力を軽減可能とする機能を果たし、回転するロールペーパー外周面との摩擦を軽減可能な形状、寸法に設定されたものとしなければならず、後述する実施例に示すように、金属製、合成樹脂製、木製、磁器製などの何れかからなる接触面の平滑な盆型か、橇板型か、ワイヤ型の何れか１つとすべきであるが、それらの組み合わせからなるものとすることが可能であり、弾発機構に一体化したものや、別体部品として形成し、着脱自在または着脱不能の何れか一方とするよう装着してなるものとすることが可能である。
以下では、図面に示すこの発明を代表する実施例と共に、その構造について詳述することとする。                                                                                                            
【実施例１】
【００２６】
図１のロールペーパー用裁断補助具の斜視図、図２に示すペーパーホルダーへ装着するロールペーパー用裁断補助具の斜視図、図３の装着状態にあるロールペーパー用裁断補助具の斜視図、図４の装着状態にあるロールペーパー用裁断補助具の側面図、図５の装着状態にあるロールペーパー用裁断補助具の正面図、図６の装着状態にあるロールペーパー用裁断補助具の平面図、図７の裁断操作中のロールペーパー用裁断補助具の斜視図、および、図８に示す待機状態のロールペーパー用裁断補助具の斜視図に示す事例は、ペーパーホルダー本体７のペーパーカバー８先端がわへ取り付け可能な取着機構３の用意された装着体２を有し、該装着体２先端がわに、当該ペーパーカバー８の先端縁８０付近より前方に突出し、ペーパーホルダー本体７のペーパー装填部７０に保持したロールペーパー９上位手前がわ外周面に当接状となる押さえ舌片部４を形成すると共に、当該ペーパーカバー８下面に配した該装着体２には、該ロールペーパー９上位外周面との間に所定離反間隔を確保するよう弾発機構５を垂下した上、該弾発機構５のロールペーパー９当接箇所には、摩擦を低減可能な滑り座部６を形成してなるものとした、この発明のロールペーパー用裁断補助具における代表的な一実施例を示すものである。
【００２７】
それら図１ないし図８からも明確に把握できるとおり、この発明のロールペーパー用裁断補助具１は、その装着体２、取着機構３（挟着機構となる挟着板３０，３０）および押さえ舌片部４が、ステンレス鋼や鍍金処理されたバネ鋼、バネ用アルミ合金などのバネ用金属板をプレス成形して一体化形成したものからなり、該装着体２がペーパーホルダー本体７ペーパーカバー８先端８０がわから、同ペーパーカバー８の裏面に添って装着可能とするよう上向きに緩やかに湾曲したものとし、該装着体２の左右夫々には、ペーパーカバー８先端８０がわより、同ペーパーカバー８の表面に添って装着可能であって、該装着体２との間にペーパーカバー８先端８０がわを挟着可能とするよう上向きに緩やかに湾曲した左右一対の挟着板３０，３０の各前端を一体化してなり、さらに、該装着体２のペーパーカバー８先端８０がわに装着した場合に、同ペーパーカバー８の先端縁８０または同先端に組み込んだペーパー裁断用ブレード端縁（図示せず）よりも前方に向けて舌片状に突出し、図７中に示すように、当該ペーパー装填部７０に保持させたロールペーパー９の上位手前がわの外周面に当接状となる先端下がり状となるように成形した押さえ舌片部４の基端を一体化形成したものである。
【００２８】
この押さえ舌片部４は、図１に示すように、左右幅が３０ないし４０ｍｍ、前後長が２５ないし３５ｍｍに設定された舌片状であって、その中央上面に直径１０ｍｍ前後の指掛け用凹部４１が、装着体２および挟着板３０，３０の成型と同時にプレス加工されたものとしてあり、図示していないが、さらに、同押さえ舌片部４の外周縁４０を下向きエッジ状に成形したものとすることが可能である。
【００２９】
また、図１ないし図４などに示すよう該装着体２の、当該ペーパーカバー８先端がわに装着した場合に、同ペーパーカバー８裏面への接合がわとなる上面とは反対がわであって、ペーパー装填部７０に保持させたロールペーパー９の上位外周面に対峙状となる下面には、コイル状圧縮バネ製の弾発機構５の一端を他端垂下姿勢とするよう、カシメ、熔接、蝋付け、ネジ止め、接着などの何れか、十分な強度で結合可能とするよう連結、一体化すると共に、該弾発機構５の下向き姿勢の他端には、薄いステンレス鋼板製、アルミニウム板製、防錆処理した鋼板製であって、当該ペーパー装填部７０に保持させたロールペーパー９の外周面に沿って僅かに湾曲状の盆型に成型した滑り座部６の上面が、カシメ、熔接、蝋付け、ネジ止め、接着などの何れか、または適宜併用することに依って一体化するよう連結したものである。
【００３０】
この弾発機構５は、図３および図４中に示すように、当該ペーパーカバー８の裏面に装着状とした装着体２と、当該ペーパー装填部７０に保持させたロールペーパー９上位となる外周面との間に、３０ないし５０ｍｍ程度の離反間隔を確保可能であって、しかも押さえ舌片部４かペーパーカバー８の先端８０がわかの少なくとも何れか一方を軽い力で押し下げ操作すると、図７中に示すように、該ペーパーカバー８の先端縁８０か、または同先端に組み込んだ図示しないペーパー裁断用ブレード端縁かの何れか一方と、押さえ舌片部４とが共に、同ペーパー装填部７０に保持させたロールペーパー９上位手前がわ外周面に適度の圧力で当接可能となる状態まで圧縮可能な寸法、形状、および弾発力となるように設定してある。                                                                                                        
【実施例２】
【００３１】
図９のワイヤー状弾発機構および滑り座部を設けたロールペーパー用裁断補助具の斜視図、ならびに、図１０のペーパーホルダーに装着したロールペーパー用裁断補助具の斜視図に示すように、実施例２のロールペーパー用裁断補助具１は、その装着体２、弾発機構５および滑り座部６が、１本のバネ用金属線から成型されたものとしてあり、ロールペーパー９外周面に添うような湾曲加工を施した矩形Ｕ字線状の滑り座部６を形成し、その両端がわ夫々を上方に向けて湾曲Ｖ字線状に折曲して弾発機構５を形成し、さらに該弾発機構５の上方両端がわ部分が装着体２となり、該装着体２を形成する上方前端がわを横転Ｊ字線状に折曲した端部間に取着機構３をなす金属製プレート製挟着板３０を一体化してあり、該装着体２の前端がわを結合してある挟着板３０の前端には、同金属製プレート製の挟着板３０のプレス加工のときに同時成形されてなる押さえ舌片部４が一体化形成されたものとしている。                                                                                                    
【実施例３】
【００３２】
図１１のコイル状圧縮バネ製の弾発機構を有するロールペーパー用裁断補助具の斜視図、および、図１２のペーパーホルダーに装着したロールペーパー用裁断補助具の斜視図に示すように、実施例３のロールペーパー用裁断補助具１は、装着体２、取着機構３となる挟着板（挟着機構）３０，３０および滑り座部６が、バネ用合金板をプレス成形してなる一体型部品とし、該装着体２は、ペーパーホルダー本体７のペーパーカバー８の左右端間に相当する左右寸法に設定し、その左右端からは夫々手指で折り曲げ可能な矩形舌片状の挟着板３０，３０が立設してあり、前端中央には押さえ舌片部４を一体化し、同装着体２後端から後方に垂れ下がる概略横転Ｕ字型に折曲してロールペーパー９外周面に添うような湾曲状矩形橇板型の滑り座部６を形成し、該装着体２下面と、これに所定の離反間隔を確保するよう対峙した滑り座部６上面との間に、圧縮コイルバネからなる弾発機構５上下端を夫々熔接、蝋付け、接着、またはその他適宜手段の何れかか、またはそれらの中の何れかを併用して連結、一体化したものとなっている。                                                                    
【実施例４】
【００３３】
実施例４のロールペーパー用裁断補助具１は、図１３のワイヤ型滑り座部を有するロールペーパー用裁断補助具の斜視図、および、図１４のペーパーホルダーに装着したロールペーパー用裁断補助具の斜視図に示すように、前記実施例３の図１１および図１２に示した弾発機構５と滑り座部６とを２個の捩りコイルバネ同士を並列状に結合してなる、所謂ダブルトーションバネからなるものに置き換えたものとする一方、取着機構３の一部をなすＵ字枠状に折曲したワイヤバネ製の挟着用ワイヤ枠（挟着機構）３１を、その両端がわが前方に向く姿勢で装着体２上に配すると共に、同挟着用ワイヤ枠３１両端がわを夫々下向きに折曲した上、板金製装着体２の前端縁であって押さえ舌片部４の基端となる左右隅縁に巻き掛けた状態に一体化結合したものとし、該取着機構３の他の一部をなす該装着体２左右端の矩形舌片状に突設した挟着板３０，３０を、ペーパーホルダー本体７のペーパーカバー８先端８０がわの左右端に巻き掛けると共に、該装着体２上面と当該挟着用ワイヤ枠３１との間にペーパーホルダー本体７のペーパーカバー８先端８０がわを挟み込むようにして装着可能なものとしてある。                                                                    
【実施例５】
【００３４】
図１５の粘着固定機構を設けたロールペーパー用裁断補助具の斜視図、および、図１６のペーパーホルダーに装着したロールペーパー用裁断補助具の斜視図に示すように、実施例５のロールペーパー用裁断補助具１は、前記実施例３の図１１中に示したものから圧縮コイルバネからなる弾発機構５を取り除き、装着体２と滑り座部６とを連結する湾曲金属板部分の中央部に応力集中用の切り欠き孔５０を穿設して、該切り欠き孔５０左右がわの湾曲金属板部分、それ自体が柔軟な板バネをなして弾発機構５となるようにし、さらに、折り曲げ可能な矩形舌片状の挟着板３０，３０を廃止して、それに変わる粘着剤層３３と、その接着表面に剥離容易に装着した被覆用剥離紙３４とからなる粘着固定機構３２を、取着機構３とするよう装着体２上面の左右幅略全域に亘って設けたものとしている。                                                                    
【実施例６】
【００３５】
実施例６のロールペーパー用裁断補助具１は、図１７の橇板型滑り座部設けたロールペーパー用裁断補助具の斜視図、および、図１８のペーパーホルダーに装着したロールペーパー用裁断補助具の斜視図に示すように、装着体２、押さえ舌片部４、弾発機構５および滑り座部６がバネ用合金板からプレス成形されたものとし、左右に長い楕円板状に形成された該装着体２部分の前端中央より、幅１５ｍｍ前後のＵ字形舌片状の押さえ舌片部４部分を僅かに前下がり傾斜状に一体化してあり、同装着体２部分の後端中央より、幅１５ｍｍ前後の横転Ｖ字状に折曲された細幅板状であって、該Ｖ字状の中、装着体２部分に一体化した１辺が湾曲板状の弾発機構５を形成し、水平直線板状の他の１辺が滑り座部６を形成したものとなり、装着体２上面の略全域に粘着剤層３３と、その接着表面に剥離容易に装着した被覆用剥離紙３４とからなる粘着固定機構３２を取着機構３とするよう設けてなる事例である。                                                                                                    
【実施例７】
【００３６】
実施例７の押さえ舌片部４は、前記実施例１ないし６の何れのロールペーパー用裁断補助具１にも形成可能であって、実施例６のように押さえ舌片部４の寸法が小さな場合であっても、その寸法に合わせるなどして適宜形成可能なものであり、図１９の凸型部を形成した押さえ舌片部の斜視図に示すように、同押さえ舌片部４のロールペーパー９外周面に接合するがわとなる下面の中央に、その外周縁４０がわの何れの箇所よりもロールペーパー９がわに向けて最も突出した、高さ３ないし５ｍｍ前後の凸型部４２を形成したものとし、該凸型部４２を含む押さえ舌片部４の縦断面形状を概略転倒ハット型、該凸型部４２が、下向き先端を切除して直径約５ｍｍの円形平板面状とし、上端底部の直径が約１５ｍｍの無先端且つ無底の下向き円錐状に形成してあって、しかも該凸型部４２は、それが形成された下面とは反対がわとなる上面中央に凹設された指掛け用凹部４１と表裏一体に形成するようにしたものとしてある。
【００３７】
（実施例１の作用）
以上のとおりの構成からなるこの発明のロールペーパー用裁断補助具１は、以下のように、ロールペーパー裁断方法に利用することが可能である。
即ち、図１に示すロールペーパー用裁断補助具１は、図２中の白抜き矢印に示すように、使用中の従来型ペーパーホルダー本体７のペーパーカバー８の先端８０寄りの左右幅中央付近に、その装着体２と左右の挟着板３０，３０とで着脱自在に挟着するよう、当該ペーパーカバー８の先端縁８０前方から装着、仮固定してしまい、図３ないし図６中に示すように、滑り座部６がペーパーホルダー本体７のペーパー装填部７０に保持されたロールペーパー９上位外周面に摺動自在に接地するようにし、弾発機構５が該保持されたロールペーパー９上位外周面からペーパーカバー８の先端縁８０までの離反間隔を、３０ないし５０ｍｍ程度に保持して弾発的に支持するようにしてある。
【００３８】
図７中に示すように、ロールペーパー９の最初の利用者は、ペーパー装填部７０に回転自在に装着してあるロールペーパー９の紙端９０を把持して必要量を展開状に引き出してから、押さえ舌片部４かペーパーカバー８の先端８０付近がわかの少なくとも何れか一方を軽く、同図７中の白抜き実線矢印に示すよう押し下げ操作し、該ペーパーカバー８の先端縁８０か、または同先端に組み込んだペーパー裁断用ブレード端縁（図示せず）かの何れか一方と押さえ舌片部４とが共にロールペーパー９上位手前がわ外周面に適度の圧力で当接した状態を維持したまま、同図７中の二点鎖線矢印に示す方向へ向けて、該ロールペーパー９の紙端９０がわを斜め上方手前がわに向けて引き上げるように操作して裁断する。
【００３９】
ロールペーパー９の裁断後は、押さえ舌片部４およびペーパーカバー８の先端８０がわを押し下げている操作力を解除すると、図８中に示すように、弾発機構５が自動的に該ペーパーカバー８の先端縁８０または同先端に組み込んだペーパー裁断用ブレード端縁（図示せず）および押さえ舌片部４を元の３０ないし５０ｍｍの高さまで弾発的に浮揚して保持するものとなり、該ロールペーパー９外周面に残留した紙端縁９０であって、当該該ペーパーカバー８の先端縁８０か、または同先端に組み込んだペーパー裁断用ブレード端縁（図示せず）かの何れか一方が裁断済みの直線状のロールペーパー切断紙端縁９０の左右幅中央付近に、押さえ舌片部４輪郭形状に裁断された摘み用舌片部分９１が一体的に残留した状態となる。
【００４０】
当該押さえ舌片部４は、その外周縁を下向きエッジ状に成形するようにしたものの場合には、ロールペーパー切断紙端縁９０に残留状に形成される摘み用舌片部分９１の輪郭を、より正確に裁断可能とするものになり、同摘み用舌片部分９１の破れや欠けなどの発生を確実に防止可能なものとなる。
同図８中に示すように、弾発機構５がペーパーカバー８の先端縁８０がわを浮揚保持しているから、次回以降の利用者はペーパーカバー８の先端縁８０がわを持ち上げ操作しなくとも、当該摘み用舌片部分９１を容易に視認して摘み持ち、ロールペーパー９紙端縁９０の引き出し操作を行うことが可能となる。
加えて、図１ないし図４および図８に示すように、盆型の滑り座部６は、ペーパー装填部７０に保持されたロールペーパー９上位外周面に低摩擦抵抗で接地するものとなり、円滑なロールペーパー９の展開、引き出し操作を可能とする。
【００４１】
以下に示す実施例２ないし実施例６の作用では、前記実施例１のロールペーパー用裁断補助具１と異なる形状や材質などの違いで得られる作用についてだけを説明するようにし、同一形状、材質による作用やロールペーパー裁断方法については、その説明を省略することとする。
（実施例２の作用）
図９および図１０に示すロールペーパー用裁断補助具１は、その装着体２、弾発機構５および滑り座部６が、１本のバネ用金属線から形成されており、部品点数を削減すると元に軽量化されており、しかも挟着板３０と押さえ舌片部４とが一体化されていて、図１０に示すように、挟着板３０がペーパーホルダー本体７のペーパーカバー８先端８０がわへ挟着する強度が高く、確りと仮固定可能であり、ロールペーパー９の裁断操作の耐久強度も十分に確保可能なものとなっている。
【００４２】
（実施例３の作用）
図１１および図１２に示すロールペーパー用裁断補助具１は、その挟着板３０，３０が、バネ用合金板製の装着体２左右端から、工具類を使わずに簡単に折り曲げ可能な矩形舌片状に立設されたものとしてあり、ペーパーホルダー本体７のペーパーカバー８先端８０寄りとなる左右端縁部分に巻き掛けるよう、確りと仮固定可能なものであって、しかも図１２中に示してあるように、湾曲状矩形橇板型の滑り座部６が、より広い面積でロールペーパー９外周面に添うよう当接し、その当接力を分散して摺動摩擦を軽減可能なものとしてある。
【００４３】
（実施例４の作用）
図１３および図１４に示すロールペーパー用裁断補助具１は、所謂ダブルトーションバネからなる弾発機構５および滑り座部６や、Ｕ字枠状ワイヤバネ製の挟着用ワイヤ枠３１が、大幅な軽量化を可能としており、該挟着用ワイヤ枠３１と、左右の矩形舌片状の挟着板３０，３０との組み合わせからなる取着機構３が、ペーパーカバー８先端８０がわへの取り付け強度を各段に高めるものとなり、しかもワイヤ製の滑り座部６が、ロールペーパー９外周面との接触抵抗を大幅に減少して、ロールペーパー９の引き出し操作中に発生する摩擦抵抗を一層低減させる。
【００４４】
（実施例５の作用）
図１５および図１６に示すロールペーパー用裁断補助具１は、装着体２と滑り座部６とを連結する湾曲金属板部分の中央部に応力集中用の切り欠き孔５０を穿設して、その左右がわの湾曲金属板部分が弾発機構５をなすものとし、部品点数と製造工数とを削減するものとなり、さらに、装着体２上面の左右幅略全域に亘って設けた粘着固定機構３２は、同図１５中の二点鎖線部分に示すように、被覆用剥離紙３４を剥がして粘着剤層３３の接着表面を露出させてから、図１６中に示すように、ペーパーホルダー本体７のペーパーカバー８先端８０がわ裏面の適切な位置に、簡便に確りと貼着、固定することが可能なものとしてある。
【００４５】
（実施例６の作用）
図１７および図１８に示すロールペーパー用裁断補助具１は、前記実施例１ないし５までに示した何れのものよりも小型、軽量のものであって、構造を簡潔なものとなっており、各段に製造が容易なものとなり、しかも同図１７中に二点鎖線で示すように、被覆用剥離紙３４を剥がして粘着剤層３３の接着表面を露出した後、図１８中に示すようペーパーホルダー本体７のペーパーカバー８先端８０がわ裏面の適切な中央位置に、簡便且つ確実に貼着、固定できるものとなっている。
【００４６】
（実施例７の作用）
図１９に示す押さえ舌片部４は、利用者がロールペーパー９を裁断する過程で、該押さえ舌片部４かペーパーホルダー本体７のペーパーカバー先端８０がわかの少なくとも何れか一方を押し下げ操作して、同ペーパーカバー８先端縁８０か、または同先端８０に組み込んだ図示しないペーパー裁断用ブレード端縁かの何れか一方、および、該押さえ舌片部４が共にロールペーパー９上位手前がわ外周面に適度の圧力で当接したときに、該押さえ舌片部４の下面中央に突設された凸型部４２が、その外周縁がわの何れの箇所よりもロールペーパー９がわに向けて最も突出状となって押し付けられるものとなり、ロールペーパー９裁断操作後に、押さえ舌片部４およびペーパーカバー８先端８０がわを押し下げている操作力を解除し、弾発機構５（図１９に図示せず）の弾発復帰力がペーパーカバー８先端８０がわを自動的に浮揚保持すると、ロールペーパー９外周面に残留状となる直線状のロールペーパー切断紙端縁９０の中途適所に一体形成された摘み用舌片部分９１が、三次元形状である船底状に成型されたものとなっており、次回利用者が、該摘み用舌片部分９１の上向きに反り上がった外周縁付近を簡単に掴むことが可能となる。
また、該凸型部４２は、押さえ舌片部４の上面中央に凹設された指掛け用凹部４１と表裏一体に形成してあり、部品点数や製造工数を増加せずに製造可能である。
【００４７】
（実施例１の効果）
以上のような作用を実現可能とする構成とした実施例１のロールペーパー用裁断補助具１は、前記この発明の効果の項で記載の特徴に加え、図１ないし図６中に示すように、その押さえ舌片部４、装着体２および取着機構３（挟着機構となる挟着板３０，３０）が１枚の金属板からなり、しかも装着体２を挟み左右がわに配した挟着板３０，３０が、ペーパーホルダー本体７のペーパーカバー８先端８０がわへの安定な装着を実現可能とするものとなり、さらに、図１ないし図４中に示すように、コイル状圧縮バネ製の弾発機構５が、当該ペーパーカバー８の裏面に装着状とした装着体２と、当該ペーパー装填部７０に保持させたロールペーパー９上位となる外周面との間に、３０ないし５０ｍｍ程度の離反間隔を確保可能として、図８中に示すように、裁断操作を終えたロールペーパー９切断紙端縁９０に残留状に形成された摘み用舌片部分９１を、次回トイレ利用者が確実に視認し、簡単に掴むことができるよう十分に露出した状態を維持できるという特徴を有するものとなる。
【００４８】
（実施例２の効果）
実施例２のロールペーパー用裁断補助具１は、図９に示すように、装着体２、弾発機構５および滑り座部６を１本のバネ用金属線から成型してあり、該ロールペーパー用裁断補助具１全体の軽量化を図ると共に、部品点数を減少して製造工数および製造コストの削減を果たすことができ、しかも高い剛性が求められる挟着板３０と押さえ舌片部４とを１枚の金属プレート製とし、秀れた耐久強度を実現可能にするという効果が得られる。
【００４９】
（実施例３の効果）
実施例３のロールペーパー用裁断補助具１は、図１１および図１２に示すように、この装着体２が、ペーパーホルダー本体７のペーパーカバー８先端８０がわ裏面の左右端間に亘って掛け渡し状に装着することが可能であり、しかもその左右端に手指で折り畳み可能な矩形舌片状の挟着板３０，３０を形成してあり、工具類を要さずに誰でも簡便に装着でき、しかも高い装着強度を得ることができるという実利が得られる上、ロールペーパー９外周面に添うよう湾曲形成した矩形橇板型の滑り座部６が、ロールペーパー９外周面との接触圧力を分散、軽減してロールペーパー９の引き出し操作がより一層軽快なものとなるという効果を奏するものとなる。
【００５０】
（実施例４の効果）
実施例４のロールペーパー用裁断補助具１は、図１３および図１４に示すように、弾発機構５と滑り座部６とを所謂ダブルトーションバネからなるものとし、部品点数の削減と軽量化とを実現化し、Ｕ字枠状に折曲したワイヤバネ製の挟着用ワイヤ枠３１が、装着体２左右端の矩形舌片状の挟着板３０，３０と相俟って、ペーパーホルダー本体７のペーパーカバー８先端８０がわへの、より一段と強い安定且つ強固な装着を実現可能にする効果を発揮できるものとなっている。
【００５１】
（実施例５の効果）
実施例５のロールペーパー用裁断補助具１は、図１５および図１６に示すように、装着体２と滑り座部６とを連結する湾曲金属板部分の中央部に応力集中用の切り欠き孔５０を穿設し、その左右がわの湾曲金属板部分が板バネとなって弾発機構５を形成したものであり、したがって部品点数を大幅に削減することができ、しかも装着体２上面の左右幅略全域に亘って粘着固定機構３２を設けて簡素な構造となり、それだけ低廉に製造可能なものとするという利点があり、さらに、ペーパーホルダー本体７のペーパーカバー８先端８０がわ裏面の適切な箇所に、誰であっても簡単且つ確実に装着することができるという利点も得られるものになる。
【００５２】
（実施例６の効果）
実施例６のロールペーパー用裁断補助具１は、図１７および図１８に示すように、その全体を大幅に小型化、軽量化したものとし、究極的に簡素なものとなっており、材料の使用量を各段に削減し、製造コストを低減しいる上、使い勝手の点においても何等の支障が無く、経済性にも利便性にも秀れたものとなっている。
【００５３】
（実施例７の効果）
実施例７の押さえ舌片部４は、前記実施例１ないし６の何れのロールペーパー用裁断補助具１にも採用可能であって、図１９に示すように、中央下面に形成した凸型部４２が、裁断操作後のロールペーパー９切断紙端縁９０に残留状に一体化するよう形成した摘み用舌片部分９１を、当該裁断操作と同時に、深さ３ないし５ｍｍ前後の三次元形状である船底状に自動的に成型してしまうものとなり、この摘み用舌片部分９１の上向き反り上がり状となった外周縁は、ロールペーパー９外周面から浮き上がり状となってその形状を維持したままとなり、次回利用者が掴むのに非常に都合がよく、ロールペーパー９紙端９０を一段と円滑に引き出し操作できるという大きな特徴を備え、そして、当該凸型部４２は、押さえ舌片部４の上面中央に凹設された指掛け用凹部４１と表裏一体であって、一度のプレス成形によって該凸型部４２と指掛け用凹部４１との双方を成型してしまうことが可能であり、製造コストの削減とロールペーパー用裁断補助具１の低価格化にも役立つものになるという特徴を具備している。
【００５４】
（結  び）
叙述の如く、この発明のロールペーパー用裁断補助具、およびそれを利用したロールペーパー裁断方法は、その新規な構成によって所期の目的を遍く達成可能とするものであり、しかも製造も容易で、従前からのペーパーホルダーや、それに装着可能な裁断具技術などに比較して大幅に利用し易いものとなり、軽量且つ低廉化して遥かに経済的なものとすることができる上、各種施設の公衆トイレの部外者によるロールペーパー紙端の三角折りを防止する効果を大幅に高めるものとなることから、従前までの多くが、トイレ清掃済みの印として三角折りを実施するのを習慣としてきたが、清掃担当者以外の多くのトイレ利用者までもが、トイレ利用後のエチケットと勘違いしてか三角折りしてしまう者があって衛生的ではなくなり、トイレ清掃の管理が難しくなってきていた飲食店を始めとする各種外食業界および各種医療機関などは固より、その他公衆トイレを管理する各種商業施設や宿泊施設、公共施設などに留まらず、その簡便な使い勝手が受入れられることとなって一般家庭においてまでも高く評価され、広範に渡って利用、普及していくものになると予想される。                                                                                                                  
【図面の簡単な説明】
【００５５】
図面は、この発明のロールペーパー用裁断補助具、およびそれを利用したロールペーパー裁断方法の技術的思想を具現化した代表的な幾つかの実施例を示すものである。
【図１】実施例１のロールペーパー用裁断補助具を示す斜視図である。
【図２】ペーパーホルダーへ装着する裁断補助具を示す斜視図である。
【図３】装着状態にある裁断補助具を示す斜視図である。
【図４】装着状態にある裁断補助具を示す側面図である。
【図５】装着状態にある裁断補助具を示す正面図である。
【図６】装着状態にある裁断補助具を示す平面図である。
【図７】裁断操作中の裁断補助具を示す斜視図である。
【図８】待機状態にある裁断補助具を示す斜視図である。
【図９】実施例２の裁断補助具を示す斜視図である。
【図１０】実施例２の裁断補助具の装着状態を示す斜視図である。
【図１１】実施例３の裁断補助具を示す斜視図である。
【図１２】実施例３の裁断補助具の装着状態を示す斜視図である。
【図１３】実施例４の裁断補助具を示す斜視図である。
【図１４】実施例４の裁断補助具の装着状態を示す斜視図である。
【図１５】実施例５の裁断補助具を示す斜視図である。
【図１６】実施例５の裁断補助具の装着状態を示す斜視図である。
【図１７】実施例６の裁断補助具を示す斜視図である。
【図１８】実施例６の裁断補助具の装着状態を示す斜視図である。
【図１９】凸型部を形成した押さえ舌片部を示す斜視図である。
【図２０】従来型ペーパーホルダーを示す斜視図である。
【図２１】三角折りされたロールペーパーを示す斜視図である。
【符号の説明】
【００５６】
１      ロールペーパー用裁断補助具
２      装着体
３      取着機構
３０    同  挟着板（挟着機構）
３１    同  挟着用ワイヤ枠（挟着機構）
３２    同  粘着固定機構
３３    同  粘着剤層
３４    同  被覆用剥離紙
４      押さえ舌片部
４０    同  外周縁
４１    同  指掛け用凹部
４２    同  凸型部
５      弾発機構
５０    同  切り欠き孔
６      滑り座部
７      ペーパーホルダー本体
７０    同  ペーパー装填部
８      ペーパーカバー
８０    同  先端縁
９      ロールペーパー
９０    同  切断紙端縁
９１    同  摘み用舌片部分                                                                                              
【図１】
2010046234.tif 000003
【図２】
2010046234.tif 000004
【図３】
2010046234.tif 000005
【図４】
2010046234.tif 000006
【図５】
2010046234.tif 000007
【図６】
2010046234.tif 000008
【図７】
2010046234.tif 000009
【図８】
2010046234.tif 000010
【図９】
2010046234.tif 000011
【図１０】
2010046234.tif 000012
【図１１】
2010046234.tif 000013
【図１２】
2010046234.tif 000014
【図１３】
2010046234.tif 000015
【図１４】
2010046234.tif 000016
【図１５】
2010046234.tif 000017
【図１６】
2010046234.tif 000018
【図１７】
2010046234.tif 000019
【図１８】
2010046234.tif 000020
【図１９】
2010046234.tif 000021
【図２０】
2010046234.tif 000022
【図２１】
2010046234.tif 000023